【手続補正書】
【提出日】平成23年9月28日(2011.9.28)
【手続補正１】
【補正対象書類名】特許請求の範囲
【補正対象項目名】全文
【補正方法】変更
【補正の内容】
【特許請求の範囲】
【請求項１】
制御メッセージ（Ｍ）内のプリコーディング情報を第２のノード（４０２）へ伝送する、第１のノード（４００）における方法であって、前記制御メッセージは、無線データ送信時にトランスポートブロックに対応するコードワードを送信するための空間多重化及びプリコーディング情報を採用する前記第１と第２のノード間における関連付けられた前記無線データ送信（Ｄ）の特性について記述する情報を含み、
前記第２のノードへの前記制御メッセージに含まれるプリコーディングパラメータ（Ｐ）を決定するステップ（３０２）と、
前記制御メッセージ内のペイロードサイズ関連フィールドの値によって、前記制御メッセージ（Ｍ）の１以上のプリコーディング用情報フィールド内の制御情報ビットを前記決定済みのプリコーディングパラメータ（Ｐ）に従って符号化するステップであって、前記値は、前記（単複の）プリコーディング用情報フィールド内の前記制御情報ビットの解釈を決定するために設定された値であるステップと、
前記プリコーディング情報とペイロードサイズ関連フィールドとを含む前記制御メッセージを前記第２のノードへ送信するステップと
を有することを特徴とする方法。
【請求項２】
前記データは前記第１のノード（４００）から前記第２のノード（４０２）へ送信され、次いで、前記第２のノードから受信したフィードバックレポート（Ｆ）に示されている現在のチャネル特性に基づくか、前記第２のノード内の復号化エラーに起因して生じる再送信量によるかの少なくともいずれかに基づいて前記プリコーディングパラメータ（Ｐ）が決定されることを特徴とする請求項１に記載の方法。
【請求項３】
前記第２のノード（４０２）は端末であり、かつ、前記第１のノード（４００）は、前記伝送済みのプリコーディング情報に従ってアップリンクデータを送信するように前記端末に命令する基地局であることを特徴とする請求項１または２に記載方法。
【請求項４】
制御メッセージ（Ｍ）内のプリコーディング情報を伝送するための第１のノード（４００）内の装置であって、前記制御メッセージは、無線データ送信時にトランスポートブロックに対応するコードワードを送信するための空間多重化及びプリコーディング情報を採用する前記第１と第２のノード間における関連付けられた前記無線データ送信（Ｄ）の特性について記述する情報を含み、
前記第２のノードへの前記制御メッセージに含まれるプリコーディングパラメータ（Ｐ）を決定するように適合されたプリコーディング決定部（４００ａ）と、
前記制御メッセージ内のペイロードサイズ関連フィールド内の値によって、前記制御メッセージの１以上のプリコーディング用情報フィールド内の制御情報ビットを決定済みの前記プリコーディングパラメータに従って符号化するように適合された制御メッセージ符号化部（４００ｂ）であって、前記値は、前記（単複の）プリコーディング用情報フィールド内の前記制御情報ビットの解釈を決定するために設定されるようになっている制御メッセージ符号化部（４００ｂ）と、
前記プリコーディング情報とペイロードサイズ関連フィールドとを含む前記制御メッセージを前記第２のノードへ送信するように適合された制御メッセージ送信部（４００ｃ）と
を備えることを特徴とする装置。
【請求項５】
前記第１のノード（４００）は基地局であり、かつ、前記第２のノード（４０２）は端末であって、前記基地局は、前記伝送済みのプリコーディング情報に従ってアップリンクデータを送信するように前記端末に命令することを特徴とする請求項４に記載の装置。
【請求項６】
制御メッセージ（Ｍ）内のプリコーディング情報を第１のノード（４００）から取得する、第２のノード（４０２）における方法であって、前記制御メッセージは、無線データ送信時にトランスポートブロックに対応するコードワードを送信するための空間多重化及びプリコーディング情報を採用する前記第１と第２のノード間における関連付けられた前記無線データ送信（Ｄ）の特性について記述する情報を含み、
前記第１のノードによって決定されたプリコーディングパラメータ（Ｐ）を含む前記制御メッセージ（Ｍ）を受信するステップと、
前記制御メッセージ内のペイロードサイズ関連フィールド内の値によって、前記制御メッセージの１以上のプリコーディング用情報フィールド内の制御情報ビットを復号化することにより前記プリコーディングパラメータを検出するステップであって、前記値は、前記（単複の）プリコーディング用情報フィールド内の前記制御情報ビットを解釈するために用いられるようになっている検出ステップと
を有することを特徴とする方法。
【請求項７】
前記第２のノード（４０２）は前記第１のノード（４００）から前記データ（Ｄ）を受信し、かつ、前記プリコーディングパラメータ（Ｐ）は、前記第２のノードから送信されたフィードバックレポート（Ｆ）に示されている現在のチャネル特性に基づくか、前記第２のノード内の復号化エラーに起因して生じる再送信量によるかの少なくともいずれかに基づいて決定されたものであることを特徴とする請求項６に記載の方法。
【請求項８】
前記第１のノード（４００）は基地局であり、かつ、前記第２のノード（４０２）は、前記伝送済みのプリコーディング情報に従ってアップリンクデータを送信するように前記基地局により命令される端末であることを特徴とする請求項６に記載の方法。
【請求項９】
前記制御メッセージ（Ｍ）の前記（単複の）プリコーディング用情報フィールド内のビットが、前記ペイロードサイズ関連フィールドに設定済みの値に応じて、プリコーディング情報メッセージから成る異なる所定のセットを意味することを特徴とする請求項６乃至８のいずれか１項に記載の方法。
【請求項１０】
前記プリコーディング情報は、前記関連付けられたデータを送信するために同時に使用される並列レイヤ又はデータストリームの数を示す送信ランクと、前記データを送信する前記ノードにおいて複数のアンテナから送信される信号を適合するために用いられる１以上の選択済みプリコーダ行列とのいずれか一方又は両方を含むことを特徴とする請求項６乃至９のいずれか１項に記載の方法。
【請求項１１】
前記ペイロードサイズ関連フィールドは、第１のトランスポートブロックと第２のトランスポートブロックとのペイロードサイズに対応するペイロードサイズ対（ＴＢＳ１，ＴＢＳ２）を示し、かつ、前記ペイロードサイズ対は、
第２のコードワードが作動不能にされている間、第１のコードワードが作動可能にされ、かつ、サイズＴＢＳと共に送信されることを示す値（ＴＢＳ，０）と、
２つのコードワードが作動可能にされ、かつ、それぞれサイズＴＢＳ１及びＴＢＳ２と共に同時に送信されることを示す値（ＴＢＳ１，ＴＢＳ２）と、のうちのいずれかに従って設定されることを特徴とする請求項６乃至１０のいずれか１項に記載の方法。
【請求項１２】
前記ペイロードサイズ対は、周波数選択プリコーディングが採用されているとき、前記制御メッセージ（Ｍ）内の前記プリコーダ情報ビットの解釈も決定して、プリコーダ確認のために送信ランクの無効をサポートすることを特徴とする請求項１１に記載の方法。
【請求項１３】
前記制御メッセージ（Ｍ）は、プリコーディング関連情報フィールドを含むＰＤＣＣＨメッセージであって、前記プリコーディング関連情報は「ランクインジケータＲＩ」又は「送信ランクインジケータＴＲＩ」に対応するようになっているＰＤＣＣＨメッセージと、「プリコーダ行列インジケータＰＭＩ」と、プリコーダ確認とのうちの少なくともいずれかであり、前記プリコーディング関連情報内のこれらの部分はまとめて符号化されることを特徴とする請求項６乃至１２のいずれか１項に記載の方法。
【請求項１４】
前記ペイロードサイズ関連フィールドの値は、
ＨＡＲＱプロセス１が、送信されるコードワード１にマップされることを示す値（ＴＢＳ，０）と、
ＨＡＲＱプロセス２が、送信されるコードワード１にマップされることを示す値（０，ＴＢＳ）と、
コードワード１及び２の両方が送信されることを示す値（ＴＢＳ１，ＴＢＳ２）とに従って、コードワードマッピングへのＨＡＲＱプロセスを示すために用いられることを特徴とする請求項６乃至１３のいずれか１項に記載の方法。
【請求項１５】
コードワードマッピングへの固定ＨＡＲＱプロセスが用いられ、かつ、前記ペイロードサイズ関連フィールドの値は、
コードワード１が送信されることを示す値（ＴＢＳ，０）と、
コードワード２が送信されることを示す値（０，ＴＢＳ）と、
コードワード１及び２の両方が送信されることを示す値（ＴＢＳ１，ＴＢＳ２）と、に従って用いられる
ことを特徴とする請求項６乃至１４のいずれか１項に記載の方法。
【請求項１６】
制御メッセージ（Ｍ）内のプリコーディング情報を第１のノード（４００）から取得する、第２のノード（４０２）内の装置であって、前記制御メッセージは、無線データ送信時にトランスポートブロックに対応するコードワードを送信するための空間多重化及びプリコーディング情報を採用する前記第１と第２のノード間における関連付けられた前記無線データ送信（Ｄ）の特性について記述する情報を含み、
前記第１のノードによって決定されたプリコーディングパラメータ（Ｐ）を含む前記制御メッセージを受信するように適合された制御メッセージ受信部（４０２ａ）と、
前記制御メッセージ内のペイロードサイズ関連フィールド内の値によって、前記制御メッセージの１以上のプリコーディング用情報フィールド内の制御情報ビットを復号化することにより前記プリコーディングパラメータを検出するように適合された制御メッセージ復号化部（４０２ａ）であって、前記（単複の）プリコーディング用情報フィールド内の前記制御情報ビットを解釈するために前記値が用いられるようになっている制御メッセージ復号化部（４０２ａ）と
を備えることを特徴とする装置。
【請求項１７】
前記第１のノード（４００）は基地局であり、かつ、前記第２のノード（４０２）は、前記伝送済みのプリコーディング情報に従ってアップリンクデータを送信するように前記基地局により命令される端末であることを特徴とする請求項１６に記載の装置。